(57)【要約】【課題】除雪作業を行うときに、掻込みオーガやブロワ等の除雪部を有する除雪機では掻込んだ雪を吹き飛ばせない場所があり、ドーザ型の除雪機では押し除ける量が決まっており作業生が悪かった。【解決手段】走行部の前部に掻込みオーガ１９やブロワ１７等を配置した除雪部１１の前部に、着脱可能、かつ、上下回動可能に排雪板４０を設け、該排雪板４０の後面または上面からガイド板５０を後方に延設し、該ガイド板５０をオーガハウジング１８に設けた係止部材５２に係止可能に構成し、前記排雪板４０のガイド板取付部に係止部を設け、ガイド板を排雪板に収納保持可能に構成した。【選択図】図１
2005139666.tif 000002
【特許請求の範囲】
【請求項１】
走行部の前部に掻込みオーガやブロワ等を配置した除雪部の前部に、着脱可能、かつ、上下回動可能に排雪板を設け、該排雪板の後面または上面からガイド板を後方に延設し、該ガイド板をオーガハウジングに設けた係止部材に係止可能に構成したことを特徴とする除雪機。
【請求項２】
前記排雪板のガイド板取付部に係止部材を設け、ガイド板を排雪板に収納保持可能に構成したことを特徴とする請求項１に記載の除雪機。
【請求項３】
走行部の前部に掻込みオーガやブロワ等を配置した除雪部の前部に、着脱可能、かつ、上下回動可能に排雪板を設け、前記掻込みオーガの両側より前方にアームを回動自在に突出し、該アームの前端に排雪板を固定したことを特徴とする除雪機。
【請求項４】
前記アームの回動基部の近傍にストッパーを設けたことを特徴とする請求項３に記載の除雪機。
【請求項５】
走行部の前部に掻込みオーガやブロワ等を配置した除雪部の前部に、着脱可能、かつ、上下回動可能に排雪板を設け、該排雪板を左右回動可能に構成したことを特徴とする除雪機。
【発明の詳細な説明】
【技術分野】
【０００１】
本発明は、走行部の前部に、掻込みオーガやブロワやシュータ等を装備する除雪部を配置し、該除雪部の前部に排雪板を配置する技術に関する。
【背景技術】
【０００２】
従来から、走行部の前部に掻込みオーガとブロワとシュータ等の除雪部を配置した除雪機は公知となっている。このような除雪機は前進走行しながら、掻込みオーガの回転により、雪を砕きながら中央部に集め、ブロワの回転によりシュータから側方等に跳ね飛ばすようにしていた。
【０００３】
また、除雪部の代わりにブレード等の排雪板（ドーザ）を走行部の前部に配置して、走行しながら積もった雪を押して除けるようにした技術も公知となっている。（例えば、特許文献１参照）。
【０００４】
【特許文献１】特開２００２−３０６２９号公報
【発明の開示】
【発明が解決しようとする課題】
【０００５】
しかし、前述のように雪を掻込んで側方等にブロワとシュータを用いて飛ばす構成では、側方に住宅等がある場合には、除雪作業ができないことがあり、また、ブロワにより飛ばす場合、ある程度離れた場所に放出することはできても、直前方や直側方に飛ばすことは難しいのである。
一方、排雪板を用いた除雪作業では、雪を押し除ける作業であるため、排雪板の面積以上の雪を除雪することはできず、作業効率も悪かったのである。
そこで、本発明は両者の欠点をおぎないうとともに、利点を生かして、掻込みオーガの前方に排雪板を配置して、各々のみで作業ができるとともに、両者を組み合わせても作業ができるようにするものである。
【課題を解決するための手段】
【０００６】
本発明の解決しようとする課題は以上の如くであり、次にこの課題を解決するための手段を説明する。
【０００７】
即ち、請求項１においては、走行部の前部に掻込みオーガやブロワ等を配置した除雪部の前部に、着脱可能、かつ、上下回動可能に排雪板を設け、該排雪板の後面または上面からガイド板を後方に延設し、該ガイド板をオーガハウジングに設けた係止部材に係止可能に構成したものである。
請求項２においては、前記排雪板のガイド板取付部に係止部材を設け、ガイド板を排雪板に収納保持可能に構成したものである。
【０００８】
請求項３においては、走行部の前部に掻込みオーガやブロワ等を配置した除雪部の前部に、着脱可能、かつ、上下回動可能に排雪板を設け、前記掻込みオーガの両側より前方にアームを回動自在に突出し、該アームの前端に排雪板を固定したものである。
請求項４においては、前記アームの回動基部の近傍にストッパーを設けたものである。
【０００９】
請求項５においては、走行部の前部に掻込みオーガやブロワ等を配置した除雪部の前部に、着脱可能、かつ、上下回動可能に排雪板を設け、該排雪板を左右回動可能に構成したものである。
【発明の効果】
【００１０】
本発明の効果として、以下に示すような効果を奏する。
請求項１の如く構成することにより、積もった雪を所定の場所まで押し除けたり、雪を掻込みながら所定の方向に飛ばしたりすることが可能となり、積雪の状態や、除雪時の周囲の状況や、除雪する場所や、除雪した雪を置いておく場所等に合わせて排雪板または掻込みオーガとブロワによる除雪作業状態を切り換えることが可能となり、ドーザ型の除雪機と吹き飛ばし型の除雪機を所有する必要がなく、無駄な出費を抑えて、作業能率も向上できる。
そして、ガイド板を係止部材に係止させることで、排雪板を上方へ回動した状態に保持することが可能となり、この状態で掻込みオーガやブロワ等の除雪部のみで除雪作業が可能となる。また、ガイド板と係止部材はプレートとピン等の簡単な構成で係止構造を構成することが可能であり、安価に構成して、重量増加も抑えることができる。そして、ボルト等による取り付けや取り外しが不要なので、係止操作も簡単に行える。
また、ガイド板を係止部材に係止することにより、排雪板を持ち上げた時に不意に手を離したり、係止部材から外れたりしたとき等でも、地面まで落下させることがなく、安全性を向上できる。
【００１１】
請求項２の如く構成することにより、排雪板により除雪作業する場合や格納しておく場合等、ガイド板は排雪板に収納状態に取り付けておくことができ、作業時等にガイド板が邪魔にならない。また、排雪板が不要で外した場合にもガイド板が邪魔にならないのである。
【００１２】
請求項３の如く構成することにより、排雪板を支持するアームが掻込みオーガによる掻込み作業の邪魔にならず、排雪板を掻込みオーガのケース前上方に収納することができる。また、アームは掻込みオーガに枢支されているため、作業時に地表面に追随して除雪作業することができる。
【００１３】
請求項４の如く構成することにより、排雪板の最下降位置をストッパーにより定めることが可能となり、排雪板が不意に下降してもストッパーにより受け止められて、排雪板が損傷することを防止できる。
【００１４】
請求項５の如く構成することにより、排雪板により除雪作業を行う時に、排雪板を左右方向に回動して向きを変更して、雪を押し除ける方向を設定することが可能となり、その押し除け方向を除雪場所に合わせることができる。
【発明を実施するための最良の形態】
【００１５】
次に、発明の実施の形態を説明する。
図１は本発明の除雪装置を具備したホィール型の除雪機の側面図、図２は本発明の除雪装置を具備したクローラ型の除雪機の側面図、図３は掻込みオーガの前部に排雪板を配置した側面図、図４は排雪板の側面図、図５はガイド板取付部の斜視図、図６は排雪板の前後回動取付部の第一実施例を示す平面図、図７は排雪板の前後回動取付部の第二実施例を示す平面図、図８は同じく側面図、図９はレバー軸と固定板の正面図である。
【００１６】
まず、図１を用いて除雪機１０の全体構成について説明する。
除雪機１０は、機体前部に配設された除雪部１１と、該除雪部１１の後方に配設された駆動部１２と、該駆動部１２の下方に配設された走行装置１３と、駆動部１２の後方であって機体後部に配設された運転操作部１４とで構成されている。該駆動部１２と走行装置１３と運転操作部１４とにより走行部を構成している。
【００１７】
前記除雪部１１には、機体フレーム１５の前部に連設されたブロワハウジング１６に内設されたブロワ１７と、該ブロワハウジング１６の前方に連設されたオーガハウジング１８にその回転軸が左右方向となるように内設された掻込みオーガ１９と、該ブロワハウジング１６の上方に水平旋回可能に立設されたシュータ２１とが具備されている。該ブロワハウジング１６の上面において、左右中心より一側に偏心して上方へパイプ状の吐出口１６ａが突出され、該吐出口１６ａの上端にシュータ２１基部（下部）が回転自在に嵌合されている。
【００１８】
前記シュータ２１の上下中途部の後面には、操作部近傍まで後方に延出されたハンドル３７が取り付けられ、該ハンドル３７を左右方向に回動することによりシュータを旋回させて投雪方向を変更できるようにしている。
【００１９】
そして、上述の如く構成される除雪部１１において、掻込みオーガ１９でオーガハウジング１８の左右略中央方向へ掻き込まれた雪は、ブロワ１７によって上方へ跳ね飛ばされ、シュータ２１によってその方向がガイドされて任意の方向へ排出できるようにしている。該シュータ２１上端にはキャップ３６を設けて前記ハンドル３７とリンク等を介して連結し、該ハンドル３７の操作でキャップ３６を上下回動可能とし、投雪距離を調節可能としている。つまり、該ハンドル３７は投雪方向と投雪距離を変更するための手段を兼用している。
【００２０】
前記駆動部１２では、機体フレーム１５に変速装置が内設され、該機体フレーム１５の上部にはエンジン２２が載置されている。エンジン２２の動力は出力軸２２ａより出力され、除雪部１１及び走行装置１３にベルトやプーリー等の動力伝達手段を介して伝達される。除雪部１１に伝達された動力により、ブロワ１７及び掻込オーガ１９が回転駆動される。また、走行装置１３に伝達される動力は、変速装置において変速されたのち、駆動軸２３に伝達され、駆動軸２３に固定された左右の車輪２７・２７が回転駆動される。
【００２１】
ただし、走行装置１３は図１に示すように、ホィール型であってもよく。また、図２に示すように、クローラ型であってもよい。クローラ型の場合には、図２に示すように、前記機体フレーム１５の下部に駆動軸２３が左右水平方向に回動可能に横架支承され、該駆動軸２３の両側に駆動スプロケット２５・２５が嵌装固定される。前記機体フレーム１５の後部には、従動スプロケット２６・２６が嵌装された後車軸２４が回動可能に横架支承されている。そして、駆動スプロケット２５と従動スプロケット２６には無端クローラベルト３１が巻回されてクローラが構成されており、この左右一対のクローラによって、駆動軸２３の回転駆動により走行駆動されるクローラ式走行装置１３が構成されている。
【００２２】
前記運転操作部１４では、前記機体フレーム１５の両側後部より斜め後上方に操向ハンドル３２が突出され、該操向ハンドル３２は平面視Ｕ字状に構成して、該操向ハンドル３２の上部間にはデッドマンレバーを兼ねる主クラッチレバー３５が配置され、また、操向ハンドル３２の一側には、エンジン２２から除雪部１１への伝動の入切操作を行うための除雪クラッチレバー３９が配置されている。また、操向ハンドル３２間に操作ボックス３３が横架され、該操作ボックス３３に変速装置による変速操作を行うための走行変速レバー３８が配設されている。
【００２３】
また、主クラッチレバー３５と除雪クラッチレバー３９は、いずれも操向ハンドル３２の近傍に設けられており、走行クラッチレバー３５と除雪クラッチレバー３９はいずれもクラッチＯＦＦ操作位置に付勢され、除雪クラッチレバー３９は除雪クラッチＯＮ操作位置でロックすることができるものとされている。
【００２４】
次に、本発明の排雪板４０および該排雪板４０の取付構成について図３乃至図９より説明する。
図３において、排雪板４０は左右方向に凹曲面を形成した板体を前記除雪部１１の左右幅よりも長く構成して、機体幅以上の除雪作業を可能としている。該排雪板４０の後面の左右中央、かつ、上下略中央から後方に、取付板４１・４１が水平方向に突設され、該取付板４１・４１間に側面視コ字状のブラケット４２が後方より嵌合され、後述するようにボルト６１またはピン６２ａ等により固定されている。
【００２５】
前記ブラケット４２の後部には平面視コ字状のアーム４３の左右中央部が固設され、該アーム４３の両側が前記オーガハウジング１８の外側面に上下回動可能に枢支されている。該アーム４３の両側には支持プレート４３ａ・４３ａが設けられ、該支持プレート４３ａに枢支孔４３ｂが開口され、該枢支孔４３ｂに固定レバー４４（図１）のネジ部が挿入され、オーガハウジング１８の側面に固定した取付プレート４５に固定レバー４４が螺装固定される。つまり、固定レバー４４を弛めることにより排雪板４０を上下昇降自在とし、固定レバー４４を締め付けることにより任意の高さで保持固定することができる。
【００２６】
また、前記支持プレート４３ａの下部には、切欠４３ｃが形成され、一方、取付プレート４５からはストッパーピン４６が側方に突設され、排雪板４０を最下降したときにストッパーピン４６が切欠４３ｃに嵌合するようにしている。
このようにして、除雪作業時に、排雪板４０を上下昇降自在としたときに、排雪板４０の下端の高さを掻込みオーガ１９の下端と略同じ高さとすることができ、地表面に追随させることができ、非作業時等で除雪部１１を持ち上げた時に、ストッパーピン４６が切欠４３ｃに嵌合して所定高さからは下降できないようにして、排雪板４０も持ち上げられるようにしている。  
【００２７】
また、図３、図４に示すように、排雪板４０の後側上部の左右一側または両側に、排雪板４０を中途部に持ち上げた状態としたり、上方へ格納した状態に保持しておくためのガイド板５０が設けられている。
該ガイド板５０は一端（下端）に枢支孔５０ａが設けられて、排雪板４０の後部左右一側上に枢支され、他側（上部）には長孔状の係止溝５１が形成されている。一方、係止部材となる係止ピン（またはボルト）５２がオーガハウジング１８の上外側面に水平方向外側に向けて突設され、前記係止溝５１に係合可能に構成している。
そして、該係止溝５１はガイド板５０の長手方向に沿って設けられ、係止溝５１の下部を「レ」状に形成して収納用係合部５１ａとし、係止溝５１の上端は係合部５１ｂとし、係合部５１ａと５１ｂの間には係止ピン５２を嵌合するための挿入部５１ｃとしている。該挿入部５１ｃは前記係止ピン５２の抜け止め用頭部の外形よりも大きい円形状の孔とし、係止ピン５２にこの挿入部５１ｃから挿入して、その他の位置では係止ピン５２から抜けないようにしている。
【００２８】
このように構成することで、排雪板４０とガイド板５０を持ち上げて、挿入部５１ｃより係止ピン５２を挿入して、更に排雪板４０を持ち上げて上方を向くような状態として、係合部５１ａに係止ピン５２を係止させることで、排雪板４０を掻込みオーガ１９の上方に位置させて保持することができ、掻込みオーガ１９により除雪作業をする場合に、排雪板４０が邪魔にならないようにしている。
そして、除雪作業中または排雪板４０を収納状態において、何らかの原因で、係止ピン５２から係合部５１ａが外れた場合であっても、係止部５１ｂで受け止められるため、排雪板４０が損傷を受けることがない。
なお、前記係止部５１ａは本実施例ではひとつだけであるが、平行に複数設けることも可能であり、複数設けることで排雪板４０の保持高さを変更可能とすることもできる。
【００２９】
前記ガイド板５０は排雪板４０の後部上で回動自在に枢支されているが、排雪板４０を下方に下ろした状態でガイド板５０を鉛直方向に維持して収納状態とすることができるようにしている。
つまり、図５に示すように、排雪板４０の背面の上下方向中途部には、ガイド板取付部が形成され、該ガイド板取付部は排雪板４０背面より板状の取付ステー５４・５４が後方に向けて突設され、該取付ステー５４・５４の左右位置はオーガハウジング１８の側板前方に位置している。該取付ステー５４・５４は左右平行に上下方向に配設されて、両取付ステー５４・５４の下部に取付孔が開口されて、該取付孔に枢支ピン（またはボルト）５５が貫通され、該取付ステー５４・５４の間の枢支ピン５５上にガイド板５０とバネ５６が外嵌され、ガイド板５０を一側（本実施例では右側）の取付ステー５４に押しつけるように付勢している。
この一側の取付ステー５４の内面側の取付孔５４ａの近傍（本実施例では前上部）に係止部材となる固定ピン５７が突設されている。一方、ガイド板５０を上下方向に向けた位置で前記固定ピン５７と対向する位置に挿入孔５０ｂが開口されて、このようにして係止部を構成している。
なお、固定ピン５７はガイド板５０に設け、挿入孔は取付ステー５４に設けることも可能である。また、枢支孔５０ａの直径は、ガイド板５０が左右傾倒できる程度に枢支ピン５５の直径よりも大きく構成している。
【００３０】
このような構成において、排雪板４０を除雪部１１の前方に位置させた除雪作業時等では、ガイド板５０を固定ピン５７と逆方向にバネ５６の付勢力に抗して左側へ傾倒しながら前方へ回動することで、ガイド板５０は固定ピン５７の頭部を回避して前方へ回動でき、ガイド板５０を上下方向に向いた状態の位置で傾倒力を解除することで、つまり、右側へ傾倒させることで、固定ピン５７に挿入孔５０ｂを嵌合することができ、バネ５６の付勢力によりガイド板５０を押さえつけて直立状態を維持することができる。こうして、ガイド板５０を上下方向を向いた収納位置に維持することができる。
【００３１】
そして、排雪板４０を格納状態とするときには、ガイド板５０を固定ピン５７と逆方向にバネ５６の付勢力に抗して傾倒させながら後方へ回動することにより、固定ピン５７と挿入孔５０ｂの係合が解除され、ガイド板５０は枢支ピン５５を中心に後方へ回動自在とすることができるのである。
【００３２】
このようにして、ガイド板５０を上下方向に位置させて固定ピン５７に挿入孔５０ｂを嵌合させることで、ガイド板５０はバネ５６に付勢されて、上下方向を向いた状態に維持させることができ、この状態では排雪板４０による除雪作業時においてガイド板５０が邪魔になることがない。
また、排雪板４０を格納状態とする時には、ガイド板５０を固定ピン５７から解除して後方に回動して、上下回動自在とした状態とし、前記係止ピン５２に挿入部５１ｃを挿入して、係止ピン５２を係合部５１ａに係合する。このとき、ガイド板５０は左右に傾倒できて容易に係止ピン５２にガイド板５０を係合することができる。
また、ガイド板５０を後方に回動するときに固定ピン５７は前方に位置しているため干渉等が生じることはないのである。このように、ガイド板５０は左右傾倒しながら前方に回動することで直立状態に保持した収納状態とすることができ、また、この状態から左右傾倒させながら後方に回動することで、排雪板４０を上方へ回動した格納状態に容易に操作することができるのである。
【００３３】
次に、前記排雪板４０を左右角度を変更可能とする構成について説明する。
まず、前記排雪板４０の背面に設ける取付板４１・４１とブラケット４２をボルト６１・６１で固定する実施例から説明する。
【００３４】
図６に示すように、前記取付板４１・４１上には左右回動中心Ｏ１に対して、左右両側に固定孔４１ａ・４１ａ・・・が同円周上で、所定角度毎に複数開口されている。一方、ブラケット４２の左右両側にも前記固定孔４１ａ・４１ａの左右間隔に合わせて固定孔４２ａ・４２ａが左右二箇所開口されている。
【００３５】
そして、左右の固定孔４１ａ・４１ａと固定孔４２ａ・４２ａの位置を合わせてボルト６１・６１を挿入してナットで固定するようにしている。排雪板４０の左右（向き）角度を変更したい場合には、ボルト６１・６１を抜いてから所望の角度に変更して、左右の固定孔４１ａ・４１ａと固定孔４２ａ・４２ａの位置を合わせてボルト６１・６１を挿入してナットで固定するのである。但し、中心Ｏ１に枢支孔を開口してピンにより枢支して、回動時に取付板４１・４１とブラケット４２がずれないようにガイドするように構成することもできる。
【００３６】
このように構成することにより、ボルト６１・６１と固定孔４１ａ・４１ａと固定孔４２ａ・４２ａの挿入位置を変更することにより容易に排雪板４０の左右角度を変更することが可能となり、例えば、排雪板４０の斜め前方右側に向けて位置するように傾斜させることで、除雪機を前進させて除雪作業を行うと、除雪した雪は排雪板４０に沿って右側へ押し除けることが可能となるのである。
【００３７】
前記排雪板４０を左右角度を変更可能とする第二実施例について説明する。
図７、図８、図９に示すように、前記排雪板４０の背面に設けた取付板４１・４１とブラケット４２にはそれぞれ前記同様に固定孔４１ａ・４１ａ・・・と固定孔４２ａ・４２ａが開口されている。そして、回動中心Ｏ１の取付板４１・４１とブラケット４２にも枢支孔４１ｂ・４１ｂ・４２ｂ・４２ｂが開口されている。
そして、固定板６２に設けたピン６２ａ・６２ａを前記固定孔４１ａ・４１ａ・４２ａ・４２ａに嵌合することにより所望の角度で固定できるようにしている。
【００３８】
即ち、矩形状の板体を側面視コ字状に折り曲げて固定板６２を構成し、該固定板６２の開放側を上向きとして左右方向に配置し、該固定板６２の底面の左右両側からピン６２ａ・６２ａを前記固定孔４１ａ・４１ａ（４２ａ・４２ａ）の間隔に合わせて下方に垂設されている。該固定板６２の左右中央には貫通孔６２ｂが開口され、該貫通孔６２ｂにレバー軸６３が挿入されて、該レバー軸６３の上部に固定板６２が固設されている。該レバー軸６３の上部はＬ字状に折り曲げられて把手６３ａとしている。該レバー軸６３の下部は前記枢支孔４１ａ・４１ｂ・４２ｂ・４２ｂに挿入され、下端には座金を外嵌して抜け止め用のスナップピン等が係止されている。
そして、ブラケット４２の上板と下板の間のレバー軸６３上にはバネ６４が外嵌され、該バネ６４の下部は座金を介して固定ピンで係止され、該バネ６４によりレバー軸６３は下方に付勢されている。つまり、レバー軸６３に固定された固定板６２は取付板４１の上面に押しつけられるのである。
【００３９】
このように構成することにより、排雪板４０が取り付けられている状態では、ピン６２ａ・６２ａが上側（上板）の固定孔４１ａ・４１ａ・４２ａ・４２ａに嵌合されている。そして、排雪板４０の左右角度を変更する場合には、レバー軸６３の把手６３ａを持って上方へ引っ張り上げ、固定板６２とともに持ち上げると、ピン６２ａ・６２ａが固定孔４１ａ・４１ａ・４２ａ・４２ａより抜ける。この状態で排雪板４０を回動するとレバー軸６３を支点として回動して、所望の角度まで回動させて手を放すと、レバー軸６３はバネ６４の付勢力により下方へ摺動し、ピン６２ａ・６２ａがその位置で合致した固定孔４１ａ・４１ａ・４２ａ・４２ａに挿入して、取付板４１・４１とブラケット４２を固定し、排雪板４０を所望の角度に固定することができるのである。
このように、回動中心Ｏ１に設けた操作部材となるレバー軸６３を持ち上げ操作して、排雪板４０を所望の角度に回動して固定孔４１ａ・４１ａ・４２ａ・４２ａの位置が合った位置で手を放すだけで、排雪板４０を固定することができ、簡単な操作で排雪板４０の左右角度を変更して固定することができるのである。
【図面の簡単な説明】
【００４０】
【図１】本発明の除雪装置を具備したホィール型の除雪機の側面図。
【図２】本発明の除雪装置を具備したクローラ型の除雪機の側面図。
【図３】掻込みオーガの前部に排雪板を配置した側面図。
【図４】排雪板の側面図。
【図５】ガイド板取付部の斜視図。
【図６】排雪板の前後回動取付部の第一実施例を示す平面図。
【図７】排雪板の前後回動取付部の第二実施例を示す平面図。
【図８】同じく側面図。
【図９】レバー軸と固定板の正面図。
【符号の説明】
【００４１】
１１  除雪部
１７  ブロワ
１８  オーガハウジング
１９  掻込みオーガ
４０  排雪板
５０  ガイド板
５２  係止部材
【図１】
2005139666.tif 000003
【図２】
2005139666.tif 000004
【図３】
2005139666.tif 000005
【図４】
2005139666.tif 000006
【図５】
2005139666.tif 000007
【図６】
2005139666.tif 000008
【図７】
2005139666.tif 000009
【図８】
2005139666.tif 000010
【図９】
2005139666.tif 000011